(57)【要約】【課題】  複数枚の画像データの表示によって目的の画像データをすばやく検索可能とする。【解決手段】  電子カメラは、画像データの表示を切り替える第１送りボタン２０５、２０６と第２送りボタン２１３と備え、第２送りボタン２１３に対する操作に応じて、複数枚の画像データを表示させ、その表示態様を複数枚の画像データ間で互いに関連付けて動的に変化させる。【選択図】  図２
2007043247.tif 000002
【特許請求の範囲】
【請求項１】
表示手段上における画像データの表示を切り替える第１の画像切り替え手段と、
前記第１の画像切り替え手段とは異なる、前記表示手段上における画像データの表示を切り替える第２の画像切り替え手段と、
前記第１の画像切り替え手段及び前記第２の画像切り替え手段に対する操作に応じて、前記表示手段上における画像データの表示を制御する表示制御手段とを有し、
前記表示制御手段は、前記第２の画像切り替え手段に対する操作に応じて、複数枚の画像データを表示させ、その表示態様を前記複数枚の画像データ間で互いに関連付けて動的に変化させることを特徴とする画像処理装置。
【請求項２】
前記表示制御手段は、前記第２の画像切り替え手段に対する操作に応じて、前記複数枚の画像データが移動するように前記複数枚の画像データの表示態様を変化させることを特徴とする請求項１に記載の画像処理装置。
【請求項３】
前記第２の画像切り替え手段に対する操作に応じて前記複数枚の画像データのうちから選択された画像データに係る情報を取得する情報取得手段を更に有し、
前記表示制御手段は、前記情報取得手段より取得される前記画像データに係る情報を更に前記表示手段上に表示させることを特徴とする請求項１又は２に記載の画像処理装置。
【請求項４】
前記表示制御手段は、前記画像データに係る情報に対応する画像データを更に前記表示手段上に表示させることを特徴とする請求項３に記載の画像処理装置。
【請求項５】
前記表示制御手段は、前記第２の画像切り替え手段に対する操作方法を示す情報を更に前記表示手段上に表示させることを特徴とする請求項１又は２に記載の画像処理装置。
【請求項６】
前記表示制御手段は、画像データのアニメーション表示状態時に前記第２の画像切り替え手段に対する操作があった場合は、画像データのアニメーション表示を中断して、前記複数枚の画像データを表示させることを特徴とする請求項１乃至５の何れか１項に記載の画像処理装置。
【請求項７】
表示手段上において表示させる画像データを処理する画像処理装置による画像処理方法であって、
前記表示手段上における画像データの表示を切り替える第１の画像切り替え手段と、前記第１の画像切り替え手段とは異なる、前記表示手段上における画像データの表示を切り替える第２の画像切り替え手段とに対する操作に応じて、前記表示手段上における画像データの表示を制御する表示制御ステップとを含み、
前記表示制御ステップでは、前記第２の画像切り替え手段に対する操作に応じて、複数枚の画像データを表示させ、その表示態様を前記複数枚の画像データ間で互いに関連付けて動的に変化させることを特徴とする画像処理方法。
【請求項８】
請求項７に記載の画像処理方法をコンピュータに実行させるためのプログラム。
【請求項９】
請求項８に記載のプログラムを記録したコンピュータ読み取り可能な記録媒体。
【発明の詳細な説明】
【技術分野】
【０００１】
本発明は、複数画像の表示状態への切り替えを可能とする画像処理装置及び画像処理方法に関するものである。
【背景技術】
【０００２】
従来、固体メモリ素子を有するメモリカードを記録媒体として、静止画像や動画像を記録再生する電子カメラ等の画像処理装置は既に市販されており、カラー液晶パネル等の電子ファインダを備える電子カメラも販売されている。
【０００３】
これらの電子カメラによれば、撮影前の画像を連続して表示して電子カメラの使用者が構図を決定することや、撮影した画像を再生表示して確認することが可能である。さらに、再生表示では、通常の１枚画像表示に加え、拡大や複数枚表示など、画像の詳細確認や検索などに役立つ機能を備えたものもある。また、ボタンを押したままにすることでサムネイル表示を行い、表示速度を速めることで探したい画像を短時間で見つけるための工夫などもなされている。なお、特許文献１には、表示させる画像データを送るための操作部材と複数枚の画像データを表示させるための操作部材とを同一にしたものが開示されている。
【０００４】
【特許文献１】特開２００１−２１１４０８号公報
【発明の開示】
【発明が解決しようとする課題】
【０００５】
一方で、昨今のメモリカード増加の増加に伴い記憶できる画像枚数が増えてきている。そこで、より簡単にすばやく目的の画像を見つけることが必要とされている。
【０００６】
そこで、本発明の目的は、複数枚の画像データの表示によって目的の画像データをすばやく検索可能とすることにある。
【課題を解決するための手段】
【０００７】
本発明の画像処理装置は、表示手段上における画像データの表示を切り替える第１の画像切り替え手段と、前記第１の画像切り替え手段とは異なる、前記表示手段上における画像データの表示を切り替える第２の画像切り替え手段と、前記第１の画像切り替え手段及び前記第２の画像切り替え手段に対する操作に応じて、前記表示手段上における画像データの表示を制御する表示制御手段とを有し、前記表示制御手段は、前記第２の画像切り替え手段に対する操作に応じて、複数枚の画像データを表示させ、その表示態様を前記複数枚の画像データ間で互いに関連付けて動的に変化させることを特徴とする。
本発明の画像処理方法は、表示手段上において表示させる画像データを処理する画像処理装置による画像処理方法であって、前記表示手段上における画像データの表示を切り替える第１の画像切り替え手段と、前記第１の画像切り替え手段とは異なる、前記表示手段上における画像データの表示を切り替える第２の画像切り替え手段とに対する操作に応じて、前記表示手段上における画像データの表示を制御する表示制御ステップとを含み、前記表示制御ステップでは、前記第２の画像切り替え手段に対する操作に応じて、複数枚の画像データを表示させ、その表示態様を前記複数枚の画像データ間で互いに関連付けて動的に変化させることを特徴とする。
本発明のプログラムは、前記画像処理方法をコンピュータに実行させることを特徴とする。
本発明のコンピュータ読み取り可能な記録媒体は、前記プログラムを記録したことを特徴とする。
【発明の効果】
【０００８】
本発明によれば、複数枚の画像データの表示によって目的の画像データをすばやく検索することが可能となる。
【発明を実施するための最良の形態】
【０００９】
以下、本発明を適用した好適な実施形態を、添付図面を参照しながら詳細に説明する。
【００１０】
−第１の実施形態−
図１は、本発明の第１の実施形態に係る電子カメラの構成を示す図である。図１において、１００は画像処理装置である。１０は撮影レンズ、１２は絞り機能を備えるシャッタ、１４は光学像を電気信号に変換する撮像素子、１６は撮像素子１４のアナログ信号出力をディジタル信号に変換するＡ／Ｄ変換器である。
【００１１】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１２】
２０は画像処理回路であり、Ａ／Ｄ変換器１６からのデータ或いはメモリ制御回路２２からのデータに対して所定の画素補間処理や色変換処理を行う。また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００１３】
さらに、画像処理回路２０においては、撮像した画像データを用いて所定の演算処理を行い、得られた演算結果に基づいてＴＴＬ方式のＡＷＢ（オートホワイトバランス）処理も行っている。
【００１４】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１５】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１６】
２４は画像表示メモリ、２６はＤ／Ａ変換器、２８はＴＦＴ ＬＣＤ等から成る画像表示部であり、画像表示メモリ２４に書き込まれた表示用の画像データはＤ／Ａ変換器２６を介して画像表示部２８により表示される。
【００１７】
画像表示部２８を用いて撮像した画像データを逐次表示すれば、電子ファインダ機能を実現することが可能である。
【００１８】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００１９】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。
【００２０】
また、メモリ３０はシステム制御回路５０の作業領域としても使用することが可能である。３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２１】
４０は絞り機能を備えるシャッタ１２を制御する露光制御手段であり、フラッシュ４８と連携することによりフラッシュ調光機能も有するものである。
【００２２】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００２３】
４８はフラッシュであり、ＡＦ補助光の投光機能、フラッシュ調光機能も有する。露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００２４】
５０は画像処理装置１００全体を制御するシステム制御回路、５２はシステム制御回路５０の動作用の定数、変数、プログラム等を記憶するメモリである。
【００２５】
５４はシステム制御回路５０でのプログラムの実行に応じて、文字、画像、音声等を用いて動作状態やメッセージ等を表示する液晶表示装置、スピーカ等の表示部であり、画像処理装置１００の操作部近辺の視認し易い位置に単数或いは複数個所設置され、例えばＬＣＤやＬＥＤ、発音素子等の組み合わせにより構成されている。
【００２６】
また、表示部５４は、その一部の機能が光学ファインダ１０４内に設置されている。表示部５４の表示内容のうち、ＬＣＤ等に表示するものとしては、シングルショット／連写撮影表示、セルフタイマ表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付・時刻表示、等がある。
【００２７】
また、表示部５４の表示内容のうち、光学ファインダ１０４内に表示するものとしては、合焦表示、手振れ警告表示、フラッシュ充電表示、シャッタスピード表示、絞り値表示、露出補正表示、等がある。
【００２８】
５６は電気的に消去・記録可能な不揮発性メモリであり、例えばＥＥＰＲＯＭ等が用いられる。６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００２９】
ここで、これらの操作手段の具体的な説明を行う。６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００３０】
６２はシャッタスイッチＳＷ１で、不図示のシャッタボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３１】
６４はシャッタスイッチＳＷ２で、不図示のシャッタボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００３２】
６６は画像表示ＯＮ／ＯＦＦスイッチで、画像表示部２８のＯＮ／ＯＦＦを設定することが出来る。この機能により、光学ファインダ１０４を用いて撮影を行う際に、ＴＦＴ ＬＣＤ等から成る画像表示部への電流供給を遮断することにより、省電力を図ることが可能となる。
【００３３】
６８はクイックレビューＯＮ／ＯＦＦスイッチで、撮影直後に撮影した画像データを自動再生するクイックレビュー機能を設定する。なお、本実施形態では特に、画像表示部２８をＯＦＦとした場合におけるクイックレビュー機能の設定をする機能を備えるものとする。
【００３４】
７０は各種ボタンやタッチパネル等からなる操作部で、メニューボタン、セットボタン、マクロボタン、マルチ画面再生改ページボタン、フラッシュ設定ボタン、単写/連写/セルフタイマ切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
【００３５】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３６】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプタ等からなる電源手段である。
【００３７】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００３８】
なお、本実施形態では記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００３９】
インタフェース及びコネクタとしては、ＰＣＭＣＩＡカードやＣＦ（コンパクトフラッシュ（登録商標））カード等の規格に準拠したものを用いて構成して構わない。
【００４０】
さらに、インタフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００４１】
１０２は、画像処理装置１００のレンズ１０を含む撮像部を覆う事により、撮像部の汚れや破損を防止するバリアである保護手段である。
【００４２】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタスピード表示、絞り値表示、露出補正表示などが設置されている。
【００４３】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００４４】
１１２は通信手段１１０により画像処理装置１００を他の機器と接続するコネクタ或いは無線通信の場合はアンテナである。
【００４５】
２００はメモリカードやハードディスク等の記録媒体である。記録媒体２００は、半導体メモリや磁気ディスク等から構成される記録部２０２、画像処理装置１００とのインタフェース２０４、画像処理装置１００と接続を行うコネクタ２０６を備えている。２１０はメモリカードやハードディスク等の記録媒体である。
【００４６】
記録媒体２１０は、半導体メモリや磁気ディスク等から構成される記録部２１２、画像処理装置１００とのインタフェース２１４、画像処理装置１００と接続を行うコネクタ２１６を備えている。
【００４７】
次に、図２から図９を参照して本発明の第１の実施形態の動作を説明する。図２は本発明の第１の実施形態に係る電子カメラの操作部材を示す図である。
【００４８】
電源ボタン２０１は電子カメラの起動と終了に用いる。メニューボタン２０２は撮影条件の変更や日付の設定、画像のプロテクトや削除といったメニューへ入る時に使用するボタンである。また、各種設定モードを終了する場合にも使う。決定ボタン２０３は選択項目の決定に用いる。表示ボタン２０４は画像に関する撮影情報の表示・非表示または電子ビューファインダの表示・非表示を切り替える。
【００４９】
左ボタン２０５は選択項目を左に移動する場合や画像送りに用いる。右ボタン２０６は選択項目を右に移動する場合や画像送りに用いる。右ボタン２０６および左ボタン２０５を本実施形態では第１送りボタンとして用いている。
【００５０】
上ボタン２０７は選択項目を上に移動する場合に用いる。下ボタン２０８は選択項目を下に移動する場合に用いる。シャッタボタン２０９は撮影モードで撮影する時に利用するボタンである。ズームボタン２１０はズームレンズを駆動させるボタンであり左右に振ることで撮影対象の画角を変えることができる。モード切り替えスイッチ２１１は録画モードと再生モードを切り替える。液晶画面２１２は画像を確認しながら撮影する場合に用いる。また撮影した画像の確認にも液晶画面２１２は用いる。
【００５１】
回転入力部材２１３は時計周り／反時計周りの向きや移動量を検出することができる。入力された値を、撮影パラメータ等の変更や再生の画像送り等に利用することができる。回転入力部材を本実施形態では第２送りボタンとして用いている。
【００５２】
図３は本実施形態の再生モードにおける全体動作を示すフローチャートである。まず、入力の有無を調べる（ステップＳ３０１）。入力がなかった場合は入力があるまで待つ。入力があった場合は、現在の表示状態を調べる（ステップＳ３０２）。ステップＳ３０２で、例えば図１０に示すように３×３等の複数の画像から成るインデックス画像を表示しているか判断し、インデックス画像を表示している場合は、ステップＳ３０３でインデックス画像用処理が行われる。具体的には、第１送りボタンの右ボタン２０６が操作された場合は、現在選択されている画像の次の画像が選択された状態となり、第１送りボタンの左ボタン２０５が操作された場合は、現在選択されている画像の前の画像が選択された状態となる。また、第２送りボタンにより時計回りの向きに操作された場合は、次の画像を選択し、反時計回りに操作された場合は前の画像を選択された状態となる。
【００５３】
ステップＳ３０２で、インデックス画像表示ではない、即ち、シングル画像（１枚の画像）表示の状態の場合、ステップＳ３０４の処理に移行する。ステップＳ３０４では、ユーザによる入力が、第１送りボタン２０５、２０６だったかどうかを調べる（ステップＳ３０４）。第１送りボタン２０５、２０６の場合、一画像を表示している状態で次の画像或いは前の画像を表示する（ステップＳ３０７）。
【００５４】
一方、入力が第１送りボタン２０５、２０６ではなかった場合、ステップＳ３０５の処理に移行する。ステップＳ３０５では、入力が第２送りボタン２１３だったかどうかを調べる。
【００５５】
入力が第２送りボタン２１３だった場合は、図９の９０９に示すように、縦に３枚の画像９０２〜９０４が表示される（ステップＳ３０８）。図９の９０９では、現在、画像９０２が選択されている状態を示している。画像９０２は、画像９０３及び画像９０４より前面に大きく表示されており、この状態で、第２送りボタン２１３が時計回りの方向へ操作された場合、図９の９０７に示すように、画像が移動して上の画像が選択された状態となる。
【００５６】
入力が第２のボタン２１３の入力ではない場合、それぞれのボタンにあった処理へ進む（ステップＳ３０６）。
【００５７】
図４は、図３のステップＳ３０７の一画像を表示している状態での処理を示すフローチャートである。まず表示対象となる画像の読み込みを行う（ステップＳ４０１）。次に表示対象の画像について撮影情報などファイルヘッダに書かれた情報の解析を行う（ステップＳ４０２）。その後、読み込んだ画像を液晶画面２１２に表示する（ステップＳ４０３）。
【００５８】
図５は、図３のステップＳ３０８の複数画像を表示した状態での処理を示すフローチャートである。第２送りボタン２１３の回転方向に応じてカレントになった画像のサムネイルを読み込む（ステップＳ５０１）。次にその前後の画像のサムネイルを読み込む（ステップＳ５０２）。カレント画像のサムネイルと続いて読み込んだ３枚のサムネイル画像の表示を行う（ステップＳ５０３）。表示後、タイマをセットする（ステップＳ５０４）。図５では、３枚の画像を表示する例を用いて説明しているが、複数枚の画像を表示できれば良く、３枚に限定されるものではない。
【００５９】
図６は、図５のタイマ待ち状態での処理を示すフローチャートである。まず入力の有無を調べる（ステップＳ６０１）。入力がなかった場合はタイマセット（ステップＳ５０４）から１秒が経過したかどうか調べる（ステップＳ６０２）。１秒経過していなかった場合は再び入力判定に戻る。１秒経過していた場合はアニメーション表示状態へ移る（ステップＳ６０３）。ここでいうアニメーション表示状態とは、複数画像表示状態で表示されていた３枚の画像のうち上下２枚の画像が消去され、中央に表示されていた画像が、徐々に大きく表示され、最終的には画面全体に表示される状態のことである。また、例えば画像の大きさはそのままで、当該画像の上辺及び下辺に重なる位置又はその近傍から２本の線が上下に広がっていき、最終的にその２本の線が画面の上辺と下辺に到達し、それらの２本の線に囲まれた白色等の領域が画面全体に広がるようなアニメーションを表示してもよい。入力があった場合はそれが第２送りボタン２１３だったかどうかを調べる（ステップＳ６０４）。第２送りボタン２１３の場合、タイマクリア（ステップＳ６０５）を実行した後、複数画像の表示状態に移る。入力が第２送りボタン２１３ではなかった場合、入力が決定ボタン２０３かどうか調べる（ステップＳ６０６）。決定ボタン２０３の場合は、タイマクリア（ステップＳ６０７）を実行した後、一画像の表示状態になる。入力が決定ボタン２０３ではなかった場合、再び入力判定に戻る。
【００６０】
図７は、図６のステップＳ６０３のアニメーション表示状態時の処理を示すフローチャートである。まず入力の有無を調べる（ステップＳ７０１）。入力がなかった場合はアニメーションの次フレームを表示する（ステップＳ７０２）。具体的には、複数画像表示状態で表示されていた３枚の画像のうち上下２枚の画像が消去され、中央に表示されていた画像が１段階大きくなった画像が表示される。このようなステップＳ７０２の処理を数回繰り返すことによって画像は段階的に大きくなり、最終的にその画像が画面全体に表示されることになる。入力があった場合はそれが第２送りボタン２１３だったかどうかを調べる（ステップＳ７０３）。入力が第２送りボタン２１３の場合、アニメーションの中断（ステップＳ７０４）を実行した後、複数画像の表示状態になる。入力が第２送りボタン２１３ではなかった場合、入力が決定ボタン２０３かどうか調べる（ステップＳ７０５）。決定ボタン２０３の場合は、アニメーションの中断（ステップＳ７０６）を実行した後、一画像の表示状態になる。入力が決定ボタン２０３ではなかった場合、再び入力判定に戻る。
【００６１】
図８は第１送りボタン２０５、２０６の操作による画面の遷移の一例を示した図である。本例では画像８０１を表示した状態で第２送りボタン２１３の入力があると、送り方向に応じた画像８０２を表示する。
【００６２】
図９は第２送りボタン２１３の操作による画面の遷移の一例を示した図である。画像９０１を表示した状態で、第２送りボタン２１３の入力があると複数画像の表示状態９０９に切り替わる。第２送りボタン２１３の方向に応じて送られた画像のサムネイル９０２を中央に表示し、その前後のサムネイル９０３、９０４も表示する。カレント画像９０２の日付９０６と現在位置を示すインジケータ９０５も表示する。この状態で更に第２送りボタン２１３による入力がなされた場合は、カレント画像を更に次画像に移して複数画像表示を行う（９０７）。複数画像表示状態から所定時間（１秒間）入力がないことによって上述したアニメーション表示状態となった場合、或いは決定ボタン２０３が操作されると、カレント画像の一画像の表示状態９０８に移行する。
【００６３】
以上のように本実施形態によれば、単に画像を送る第１送りボタンとは別に、画像送りとともに表示画像の表示態様も切り替える第２送りボタンを別途設け、第２送りボタンを操作することによって複数画像の表示状態に切り替えるように構成したので、複数画像の表示状態によって所望の画像をすばやく検索することが可能となる。
【００６４】
−第２の実施形態−
次に本発明の第２の実施形態について説明する。本実施形態に係る電子カメラの内部構成及び操作部材の構成は第１の実施形態と同様であるため、その説明は省略する。
【００６５】
図１１は、本実施形態に係る電子カメラの再生モードにおける全体動作を示すフローチャートである。まず入力の有無を調べる（ステップＳ１１０１）。入力がなかった場合は入力があるまで待つ。入力があった場合はそれが第２送りボタン２１３だったかどうかを調べる（ステップＳ１１０２）。第２送りボタン２１３の場合、第２送りボタン２１３の操作に応じてカレントとなった画像データの撮影日時等の撮影情報を調べ、撮影情報及び撮影情報に対応する画像以外の情報（例えば背景画像）を取得する（ステップＳ１１０３）。入力が第２送りボタン２１３の入力ではない場合、それぞれのボタンにあった処理へ進む（ステップＳ１１０４）。
【００６６】
図１２は、本実施形態におけるタイマ待ち状態時の処理を示すフローチャートである。まず入力の有無を調べる（ステップＳ１２０１）。入力がなかった場合はタイマセット（ステップＳ５０４）から１秒が経過したかどうか調べる（ステップＳ１２０２）。１秒経過していなかった場合は再び入力判定に戻る。１秒経過していた場合はアニメーション表示状態へ移る（ステップＳ１２０３）。ここでいうアニメーション表示状態とは、上述したように、例えば複数画像表示状態で表示されていた３枚の画像のうち上下２枚の画像が消去され、中央に表示されていた画像が、徐々に大きく表示され、最終的には画面全体に表示される状態等のことである。入力があった場合はそれが第２送りボタン２１３だったかどうかを調べる（ステップＳ１２０４）。第２送りボタン２１３の場合、タイマクリア（ステップＳ１２０５）を実行した後、第２送りボタン２１３の操作に応じてカレントとなった画像データの撮影日時等の撮影情報を調べ、撮影情報及び撮影情報に対応する画像以外の情報（例えば背景画像）を取得し（ステップＳ１２０８）、複数画像の表示状態に移る。入力が第２送りボタン２１３ではなかった場合、入力が決定ボタン２０３かどうか調べる（ステップＳ１２０６）。決定ボタン２０３の場合は、タイマクリア（ステップＳ１２０７）を実行した後、一画像の表示状態になる。入力が決定ボタン２０３ではなかった場合、再び入力判定に戻る。
【００６７】
図１４は、本実施形態におけるアニメーション表示状態時の処理を示すフローチャートである。まず入力の有無を調べる（ステップＳ１４０１）。入力がなかった場合はアニメーションの次フレームを表示する（ステップＳ１４０２）。具体的には、複数画像表示状態で表示されていた３枚の画像のうち上下２枚の画像が消去され、中央に表示されていた画像が１段階大きくなった画像が表示される。このようなステップＳ１４０２の処理を数回繰り返すことによって画像は段階的に大きくなり、最終的にその画像が画面全体に表示されることになる。入力があった場合はそれが第２送りボタン２１３だったかどうかを調べる（ステップＳ１４０３）。入力が第２送りボタン２１３の場合、アニメーションの中断（ステップＳ１４０４）を実行した後、第２送りボタン２１３の操作に応じてカレントとなった画像データの撮影日時等の撮影情報を調べ、撮影情報及び撮影情報に対応する画像以外の情報（例えば背景画像）を取得し（１４０７）、複数画像の表示状態になる。入力が第２送りボタン２１３ではなかった場合、入力が決定ボタン２０３かどうか調べる（ステップＳ１４０５）。決定ボタン２０３の場合は、アニメーションの中断（ステップＳ１４０６）を実行した後、一画像の表示状態になる。入力が決定ボタン２０３ではなかった場合、再び入力判定に戻る。
【００６８】
次に、本実施形態における複数画像の表示状態の処理を図１３のフローチャートを用いて説明する。第２送りボタン２１３の回転方向に応じてカレントになった画像のサムネイルを読み込む（ステップＳ１３０１）。次にその前後の画像のサムネイルを読み込む（ステップＳ１３０２）。続いて読み込んだサムネイル画像とともに、ステップＳ１１０３、ステップＳ１２０８で取得された撮影日時等の撮影情報及び背景画像等の表示を行う（ステップＳ１３０３）。表示後、タイマをセットする（ステップＳ１３０４）。なお、本実施形態における一画像の表示状態における処理は図４に示す第１の実施形態における処理と同様であるため、その説明は省略する。
【００６９】
図１５は、第２送りボタン２１３の操作による画面の遷移の一例を示した図である。画像１５０１を表示した状態で、第２送りボタン２１３の入力があると複数画像表示状態１５０９に切り替わる。第２送りボタン２１３の方向に応じて送られた画像のサムネイル１５０２を中央に表示し、その前後のサムネイル１５０３、１５０４も表示する。カレント画像の日付１５０６と現在位置を示すインジケータ１５０５も表示する。この状態で更に第２送りボタン２１３による入力がなされた場合は、カレント画像を更に次画像に移して複数画像の表示状態１５０７に移行する。決定ボタン２０３が操作された場合は、一画像の表示状態１５０８に移行する。
【００７０】
図１６は第２送りボタン２１３の操作による複数画像の表示状態の遷移例を示す図である。１６０１のような複数画像を表示した状態で、第２送りボタン２１３の入力があると、次の画像の撮影情報を読み、それと対応する背景画像等をサムネイル画像に付加して表示する(１６０２、１６０３)。このとき、次画像が異なるものであった場合は、撮影情報が異なるため、それに対応付けられた背景画像等も異なったものになる可能性がある。撮影情報に対応付けられる背景画像としては、撮影情報に含まれる日付に対応する季節を模した背景画像等が挙げられる。
【００７１】
以上のように本実施形態によれば、送りボタンの操作によってカレントとなった画像の撮影情報と、撮影情報に対応する例えば背景画像をともに表示するように構成したので、画像の検索をより直感的に行うことが可能となり、ユーザの使い勝手のよさをより向上させることができる。
【００７２】
−第３の実施形態−
次に、本発明の第３の実施形態について説明する。本実施形態に係る電子カメラの内部構成及び操作部材の構成は第２の実施形態と同様であるため、その説明は省略する。
【００７３】
図１７は、本実施形態に係る電子カメラの再生モードにおける全体動作を示すフローチャートである。まず入力の有無を調べる（ステップＳ１７０１）。入力がなかった場合は入力があるまで待つ。入力があった場合はそれが順方向の第２送りボタン２１３だったかどうかを調べる（ステップＳ１７０２）。順方向の第２送りボタン２１３の場合、順方向を示す画像を取得する（ステップＳ１７０３）。入力が順方向の第２送りボタン２１３ではなかった場合、入力が逆方向の第２送りボタン２１３だったかどうかを調べる（ステップＳ１７０４）。入力が逆方向の第２送りボタン２１３だった場合は逆方向を示す画像を取得する（ステップＳ１７０５）。入力が逆方向の第２送りボタン２１３の入力ではない場合、それぞれのボタンにあった処理へ進む（ステップＳ１７０６）。
【００７４】
図１９は、本実施形態におけるタイマ待ち状態時の処理を示すフローチャートである。まず入力の有無を調べる（ステップＳ１９０１）。入力がなかった場合はタイマセット（ステップＳ１８０４）から１秒が経過したかどうか調べる（ステップＳ１９０２）。１秒経過していなかった場合は再び入力判定に戻る。１秒経過していた場合はアニメーション表示状態へ移る（ステップＳ１９０３）。ここでいうアニメーション表示状態とは、上述したように、例えば複数画像表示状態で表示されていた３枚の画像のうち上下２枚の画像が消去され、中央に表示されていた画像が、徐々に大きく表示され、最終的には画面全体に表示される状態等のことである。入力があった場合はそれが第２送りボタン２１３だったかどうかを調べる（ステップＳ１９０４）。第２送りボタン２１３の場合、タイマクリア（ステップＳ１９０５）を実行した後、第２送りボタン２１３の操作による送り方向に応じた画像を取得し（ステップＳ１９０８）、複数画像の表示状態に移る。入力が第２送りボタン２１３ではなかった場合、入力が決定ボタン２１３かどうか調べる（ステップＳ１９０６）。決定ボタン２１３の場合は、タイマクリア（ステップＳ１９０７）を実行した後、一画像の表示状態に移行する。入力が決定ボタン２１３ではなかった場合、再び入力判定に戻る。
【００７５】
図２０は、本実施形態におけるアニメーション表示状態時の処理を示すフローチャートである。まず入力の有無を調べる（ステップＳ２００１）。入力がなかった場合はアニメーションの次フレームを表示する（ステップＳ２００２）。具体的には、複数画像表示状態で表示されていた３枚の画像のうち上下２枚の画像が消去され、中央に表示されていた画像が１段階大きくなった画像が表示される。このようなステップＳ２００２の処理を数回繰り返すことによって画像は段階的に大きくなり、最終的にその画像が画面全体に表示されることになる。入力があった場合はそれが第２送りボタン２１３だったかどうかを調べる（ステップＳ２００３）。入力が第２送りボタン２１３の場合、アニメーションの中断（ステップＳ２００４）を実行した後、第２送りボタン２１３の操作による送り方向に応じた画像を取得し（ステップＳ２００７）、複数画像の表示状態に移行する。入力が第２送りボタン２１３ではなかった場合、入力が決定ボタン２０３かどうか調べる（ステップＳ２００５）。決定ボタン２０３の場合は、アニメーションの中断（ステップＳ２００７）を実行した後、一画像の表示状態になる。入力が決定ボタン２０３ではなかった場合、再び入力判定に戻る。
【００７６】
図１８は、複数画像の表示状態時の処理を示すフローチャートである。第２送りボタン２１３の回転方向に応じてカレントになった画像のサムネイルを読み込む（ステップＳ１８０１）。次にその前後の画像のサムネイルを読み込む（ステップＳ１８０２）。続いて読み込んだサムネイル画像をステップＳ１７０３、ステップＳ１７０５、ステップＳ１９０８、ステップＳ２００７で取得した画像とともに表示する（ステップＳ１８０３）。表示後、タイマをセットする（ステップＳ１８０４）。なお、本実施形態における一画像の表示状態時の処理は第１及び第２の実施形態と同様であるため、その説明は省略する。
【００７７】
図２１は、第２送りボタン２１３の操作による画面の遷移の一例を示した図である。画像２１０１を表示した状態で、第２送りボタン２１３の入力があると複数画像の表示状態２１１１に切り替わる。第２送りボタン２１３の方向に応じて送られた画像のサムネイル２１０２を中央に表示し、その前後のサムネイル２１０３、２１０４も表示するとともに、第２送りボタン２１３の操作による送り方向に応じた画像２１０９を表示する。また併せてカレント画像の日付２１０６と現在位置を示すインジケータ２１０５も表示する。この状態で更に第２送りボタン２１３による入力がなされた場合は、カレント画像を更に次画像に移して複数画像の表示状態２１０７に移る。決定ボタン２０３が操作された場合には、一画像の表示を行う（２１０８）。
【００７８】
以上のように本実施形態においては、第２送りボタン２１３の操作による送り方向に応じた画像を取得し、表示するように構成したので、ユーザは画面上からも第２送りボタン２１３の操作方向を把握することが可能となり、使い勝手をより向上させることができる。
【００７９】
なお、上記実施形態では、送りボタン２１３の操作による送り方向に応じた画像として図２１に示すように矢印を表す画像情報を取得し、表示させているが、これに限らず、例えば図２２に示すように、現在カレントとなっている画像の上下に複数の横線を配置した背景画像を用意し、送りボタン２１３の操作方向に応じてカレント画像の上下間で横線の配置密度を変えるようにしてもよい。送りボタン２１３を左方向に操作した場合には、例えば図２２（ａ）に示すようにカレント画像の下方の横線の配置密度を高くし、カレント画像の上方の横線の配置密度を低くする。反対に、送りボタン２１３を右方向に操作した場合には、例えば図２２（ｂ）に示すようにカレント画像の下方の横線の配置密度を低くし、カレント画像の上方の横線の配置密度を高くする。
【００８０】
上述した各実施形態では、決定ボタン２０３でアニメーションをキャンセルして一画像表示状態に移るとしたが、決定ボタン２０３以外の操作部材を用いてもよい。また、タイマ設定時間は任意に設定できてもよい。
【００８１】
なお、記録媒体２００及び２１０は、ＰＣＭＣＩＡカードやコンパクトフラッシュ（登録商標）等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても勿論問題無い。
【００８２】
また、記録媒体２００及び２１０がメモリカードとハードディスク等が一体となった複合媒体であっても勿論問題無い。さらに、その複合媒体から一部が着脱可能な構成としても勿論問題無い。
【００８３】
そして、実施形態の説明に於いては、記録媒体２００及び２１０は画像処理装置１００と分離していて任意に接続可能なものとして説明したが、いずれか或いは全ての記録媒体が画像処理装置１００に固定したままとなっていても勿論問題無い。
【００８４】
また、画像処理装置１００に記録媒体２００或いは２１０が、単数或いは複数の任意の個数接続可能な構成であっても構わない。そして、画像処理装置１００に記録媒体２００及び２１０が装着する構成として説明したが、記録媒体は単数或いは複数の何れの組み合わせの構成であっても、勿論問題無い。
【００８５】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００８６】
この場合、記憶媒体から読み出されたプログラムコード自体が前述した実施形態の機能を実現することになり、プログラムコード自体及びそのプログラムコードを記憶した記憶媒体は本発明を構成することになる。
【００８７】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００８８】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００８９】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００９０】
【図１】本発明の第１乃至第３の実施形態に係る電子カメラの構成を示す図である。
【図２】本発明の第１乃至第３の実施形態に係る電子カメラの操作部材を示す図である。
【図３】本発明の第１の実施形態に係る電子カメラの全体動作を示すフローチャートである。
【図４】本発明の第１乃至第３の実施形態における一画像表示状態時の処理を示すフローチャートである。
【図５】本発明の第１の実施形態における複数画像表示状態時の処理を示すフローチャートである。
【図６】本発明の第１の実施形態におけるタイマ待ち状態時の処理を示すフローチャートである。
【図７】本発明の第１の実施形態におけるアニメーション表示状態時の処理を示すフローチャートである。
【図８】本発明の第１の実施形態における第１送りボタンの操作による画面遷移の一例を示す図である。
【図９】本発明の第１の実施形態における第２送りボタンの操作による画面遷移の一例を示す図である。
【図１０】インデックス画像の表示例を示す図である。
【図１１】本発明の第２の実施形態に係る電子カメラの全体動作を示すフローチャートである。
【図１２】本発明の第２の実施形態におけるタイマ待ち状態時の処理を示すフローチャートである。
【図１３】本発明の第２の実施形態における複数画像の表示状態時の処理を示すフローチャートである。
【図１４】本発明の第２の実施形態におけるアニメーション表示状態時の処理を示すフローチャートである。
【図１５】本発明の第２の実施形態における送りボタンの操作による画面の遷移の一例を示す図である。
【図１６】本発明の第２の実施形態における送りボタンの操作による複数画像の表示状態の遷移例を示す図である。
【図１７】本発明の第３の実施形態に係る電子カメラの全体動作を示すフローチャートである。
【図１８】本発明の第３の実施形態における複数画像の表示状態時の処理を示すフローチャートである。
【図１９】本発明の第３の実施形態におけるタイマ待ち状態時の処理を示すフローチャートである。
【図２０】本発明の第３の実施形態におけるアニメーション表示状態時の処理を示すフローチャートである。
【図２１】本発明の第３の実施形態における送りボタンの操作による画面の遷移の一例を示す図である。
【図２２】本発明の第３の実施形態における送りボタンの操作による画面の遷移の一例を示す図である。
【符号の説明】
【００９１】
２０１  電源ボタン
２０２  メニューボタン
２０３  決定ボタン
２０４  表示ボタン
２０５  左ボタン（第１送りボタン）
２０６  右ボタン（第１送りボタン）
２０７  上ボタン
２０８  下ボタン
２１０  ズームボタン
２１１  モード切り替えスイッチ
２１２  液晶画面
２１３  回転入力部材（第２送りボタン）
【図１】
2007043247.tif 000003
【図２】
2007043247.tif 000004
【図３】
2007043247.tif 000005
【図４】
2007043247.tif 000006
【図５】
2007043247.tif 000007
【図６】
2007043247.tif 000008
【図７】
2007043247.tif 000009
【図８】
2007043247.tif 000010
【図９】
2007043247.tif 000011
【図１０】
2007043247.tif 000012
【図１１】
2007043247.tif 000013
【図１２】
2007043247.tif 000014
【図１３】
2007043247.tif 000015
【図１４】
2007043247.tif 000016
【図１５】
2007043247.tif 000017
【図１６】
2007043247.tif 000018
【図１７】
2007043247.tif 000019
【図１８】
2007043247.tif 000020
【図１９】
2007043247.tif 000021
【図２０】
2007043247.tif 000022
【図２１】
2007043247.tif 000023
【図２２】
2007043247.tif 000024